(57)【要約】【課題】モニタリング用ディスプレイ支持アーム構造であり、異なる重さや規格に応じて調整可能な支持アーム構造を提供する。【解決手段】  メイン支持アーム１０、メイン支持アーム後部に結合する延伸アーム２０、メイン支持アームの前部のモニタリング用ディスプレイに結合する固定座３０、及び延伸アーム後部に結合する支持アーム固定座４０からなる。メイン支持アーム内には、支持力を調節するためのバネ１４、調節ナット１３３を介してネジ止される接続棒１３が設けられ、ナットの回動によってバネの伸縮位置を調整してバネの張力による支持力を調整する。また、メイン支持アーム内にはこれらのアームの関節構造から干渉されないスペースを提供する導線スロットが形成され、ディスプレイ用の電源線や信号線を保護する。【選択図】  図２
0003113447.tif 000002
【実用新案登録請求の範囲】
【請求項１】
モニタリング用ディスプレイ支持アーム構造であって、
メイン支持アーム、メイン支持アーム後部に結合する延伸アーム、メイン支持アームの前部のモニタリング用ディスプレイに結合する固定座、壁などに取り付けるためのモニタリング用ディスプレイ固定座、及び延伸アームの後部に結合されて支持アーム全体を壁などに固定する支持アーム固定座からなり、
メイン支持アームと延伸アームの間、メイン支持アームとモニタリング用ディスプレイ固定座の間、及び延伸アームとメイン支持アーム固定座の間には、それぞれ垂直軸を配置してメイン支持アーム、延伸アーム、モニタリング用ディスプレイ固定座、支持アーム固定座の間で該垂直軸の周りに左右に回動可能な関節構造をなし、
又、該メイン支持アームの前、後部には前部接続座金および後部接続座金を配置し、メイン支持アームの前、後部をそれぞれ第一水平ピボットピン、第二水平ピボットピンにより前部接続座金、後部接続座金に結合し、メイン支持アームが第一水平ピボットピンと第二水平ピボットピンにより上下回動可能な関節構造を構成し、
該メイン支持アームは、中空構造であってその中空部内に接続棒とバネを配置し、接続棒の前後部をそれぞれ第三水平ピボットピン、第四水平ピボットピンを介して前部接続座金、後部接続座金に結合し、
該接続棒は、上記上下運動をする関節に第三水平ピボットピン、第四水平ピボットピンを介して連結され、接続棒の前端近くに設けられたピボットピンにバネの前端のフックを係合し、バネ後部はナットによりメイン支持アーム後部に設けられたボルトに結合されることにより、該ボルトの回動操作によって該バネの伸長を加減して該ばねの張力によるメイン支持アームの支持力を調節可能とし、
又、第一水平ピボットピンの一端を前部接続座金に結合し、他端を第一鎖固ナットによりメイン支持アームを固定し、その間に第一左スプリングワッシャと第一右スプリングワッシャを挟持し、
第二水平ピボットピンの一端を後部接続座金に固定し、他端を第二鎖固ナットによりメイン支持アームに固定してその間に第二右スプリングワッシャと第二左スプリングワッシャを挟持し、これらの狭圧作用により滑り止め防止としたこと、
を特徴とするモニタリング用ディスプレイ支持アーム構造。
【請求項２】
上記モニタリング用ディスプレイ支持アーム構造において、該メイン支持アーム中空構造内に導線を配置するスロットが設けられてなることにより、モニタリング用ディスプレイの電源線、信号線などの配線スペースを提供し、保護してなること、
を特徴とする請求項１記載のモニタリング用ディスプレイ支持アーム構造。
【請求項３】
上記モニタリング用ディスプレイ支持アーム構造において、メイン支持アームとメイン支持アームの後部の延伸アームが結合された関節部及びメイン支持アームとメイン支持アームの前端のモニタリング用ディスプレイ固定座とが結合された関節部には、それぞれ防塵カバーを設けてこれらの関節部に埃が侵入することを防止してなること、
を特徴とする請求項１記載のモニタリング用ディスプレイ支持アーム構造。
【考案の詳細な説明】
【技術分野】
【０００１】
本考案は、内視鏡視野で行なう外科手術などに使用する液晶ディスプレイなどのモニタリング用ディスプレイ支持アーム構造であり、異なる重さや規格に対応して支持アーム構造を提供し、モニタリング用ディスプレイに使われる電源線及び信号線をも保護できるモニタリング用ディスプレイ支持アーム構造に関する。
【背景技術】
【０００２】
これまでに使用されたモニタリング用ディスプレイ支持アームは、主にメイン支持アーム、メイン支持アーム後部につなぐ延伸アーム、メイン支持アームの前部のモニタリング用ディスプレイをつなぐ固定座、そして、延伸アーム後部につなぐ支持アーム固定座からなり、その内、メイン支持アームと延伸アームの間、メイン支持アームとモニタリング用ディスプレイ固定座の間、延伸アームとメイン支持アーム固定座の間には、上下、左右運動をする節目が設けられ、モニタリング用ディスプレイの角度を自由自在に調節できるようになっている。
【０００３】
また、これまでに使われたモニタリング用ディスプレイ支持アームは、主にメイン支持アーム内にバネを設け、バネが引張る張力により、メイン支持アームがモニタリング用ディスプレイを支える力を提供している。ただ、バネの張力によるだけのモニタリング用ディスプレイ支持力のため、相当に重いモニタリング用ディスプレイ（例えばサイズが大きいモニタリング用ディスプレイ等）に対しては、それを支えるだけの力が不足になりがちであり、手術中など使用中に下方に垂下する等という状態となって、使用上の不都合を来たしていた。
【０００４】
そして、これまでに使われたモニタリング用ディスプレイ支持アームはすべてそれぞれ異なる重さのモニタリング用ディスプレイ支持アームに対応したバネによる調節が不可能であるため、それぞれ重さや規格が違うモニタリング用ディスプレイに適応させるため、それぞれの製造会社の製品に応じて様々なモニタリング用ディスプレイが使えるよういろんな支持アイテムを作らなければならない。そして、使用者もそれぞれが使用しているモニタリング用ディスプレイにあわせて、異なる重さや規格に適合した支持アームを購入しなければならない。このことは製品会社が商品を作る際の困難を来たすだけでなく、使用者の不便にもつながる。
【０００５】
また、今まで使われているモニタリング用ディスプレイ支持アームの構造は、モニタリング用ディスプレイに使われている電源線や信号線の配線専用の導線スロットを提供することは不可能であり、支持アームの中を通す形式を採っている。そのため、同じく支持アーム内に内蔵されたバネや他の部品と摩擦しやすく、電路ショートやその狂い等の現象がおこりやすくなり、使用上のトラブルにもなりやすい。
【特許文献１】特開２００４−３４１３６１号公報
【特許文献２】特開２０００−３３８８９１号公報
【考案の開示】
【考案が解決しようとする課題】
【０００６】
本考案の目的は、上述のような従来のモニタリング用ディスプレイ支持アームにある欠点を改善し、異なる重さや規格にも対応できるモニタリング用ディスプレイ支持アーム構造に関する。
本考案のもう一つの目的は、専用導線スロットを提供し、モニタリング用ディスプレイに使われる電源線及び信号線の配線をサポートする支持アーム構造を提供することにある。
上述の目的に達するため、本考案は、メイン支持アーム、メイン支持アーム後部につなぐ延伸アーム、メイン支持アームの前部のモニタリング用ディスプレイをつなぐ固定座、そして、延伸アーム後部につなぐ支持アーム固定座からなる。その内、メイン支持アームに支持力が調節可能なバネを配置し、メイン支持アームとともに上下移動し、自動的にバネの支持力を調節できる接続棒をも設ける。又、メイン支持アームに独立した導線スロットを配置し、これによりモニタリング用ディスプレイに使われる電源線及び信号線をうまく収め、一種の異なる重さや規格に応じた支持アーム構造を提供し、同時に電源線及び信号線を保護する支持アーム構造をも提供できる。
【課題を解決するための手段】
【０００７】
本考案が、目的に達するために使われる技術手段やその構造特徴は、第一図から第七図の実施例に示されたとおり、以下の様に詳しく説明する。
【０００８】
第一、二、三、四図の如く、本考案の基本構造は略上述の従来慣用されたモニタリング用ディスプレイ支持アームと大きな変更はなく、メイン支持アーム（１０）、メイン支持アーム（１０）後部につなぐ延伸アーム（２０）、メイン支持アーム（１０）の前部のモニタリング用ディスプレイ（５０）につなぐモニタリング用ディスプレイ固定座（３０）、壁（８０）などにかけられるよう作られた、延伸アーム（２０）の後部につなぎ、支持アーム全体を壁（８０）に固定する（或いは他の固定物体に固定する）支持アーム固定座（４０）からなる。メイン支持アーム（１０）と延伸アーム（２０）の間、メイン支持アーム（１０）とモニタリング用ディスプレイ固定座（３０）の間、延伸アーム（２０）と支持のアーム固定座（４０）の間には、それぞれ垂直軸（６０）が一つずつ設定され、メイン支持アーム（１０）、延伸アーム（２０）、モニタリング用ディスプレイ固定座（３０）、支持アーム固定座（４０）の間で垂直軸（６０）の周りに左右に回動する関節となる。
【０００９】
又、当メイン支持アーム（１０）には、前後部の前部接続座金（１１）および後部接続座金（１２）につなぐもの、メイン支持アーム（１０）の前後部がそれぞれ第一水平ピボットピン（７１）、第二水平ピボットピン（７２）を前部接続座金（１１）、後部接続座金（１２）の上部につなぎ、メイン支持アーム（１０）が第一水平ピボットピン（７１）と第二水平ピボットピン（７２）により上下回動する関節を構成する。
【００１０】
ただ、上に述べた本考案の基本構造は、従来慣用されたモニタリング用ディスプレイ支持アームと概ね同じなので、これ以上の説明を省略する。そして、本考案の目的を達するための特徴とする技術手段と構造特は以下のとおりである。
当メイン支持アーム（１０）は、中空棒型であって、その中空内部に接続棒（１３）とバネ（１４）を設置し、接続棒（１３）の前後部をそれぞれ第三水平ピボットピン（７３）、第四水平ピボットピン（７４）により前部接続座金（１１）、後部接続座金（１２）上に連結する。接続棒（１３）は、第三水平ピボットピン（７３）、第四水平ピボットピン（７４）との接続により、上下運動をする関節を構成することができ、接続棒（１３）の前端近くには、ピボットピン（１５）が設けられている。
バネ（１４）前端のフック（１３２）を接続棒（１３）のピボットピン（１５）上部を引っ掛け、バネ（１４）後部はナット（１３３）（第二図を参考。）に結合されている。ナット（１３３）は、メイン支持アーム（１０）後部に設けられたボルト（１３１）のネジにネジ止されている。
第二図に示す構造により、メイン支持アーム（１０）後部のボルト（１３１）をまわすことにより、バネ（１４）の後部を結合するナット（１３３）を後方にずらしてバネ（１４）を引き伸ばしてバネ（１４）の張力を調整する。これにより、メイン支持アーム（１０）の支持力を強化し、反対に、反時計周りにメイン支持アーム（１０）後部のボルト（１３１）をまわすことによって、バネ（１４）の後部に結合しているナット（１３３）を前方に移動させてバネ（１４）を緩めることにより、バネ（１４）の張力を緩めて、メイン支持アーム（１０）の支持力が小さくなるように調整することができる。このような方法で、メイン支持アーム（１０）の支持力を調節し、異なった重さや規格のモニタリング用ディスプレイ（５０）にも適応させることができる。
【００１１】
又、第五、六図のように、第一水平ピボットピン（７１）の一端を前部接続座金（１１）につなげ、又その一端を第一鎖固ナット（７１１）によりメイン支持アーム（１０）を固定し、第一鎖固ナット（７１１）とメイン支持アーム（１０）の間には第一左スプリングワッシャ（７１２）と第一右スプリングワッシャ（７１３）が設けられ、第二水平ピボットピン（７２）の一端は後部接続座金（１２）に固定され、またの一端は第二鎖固ナット（７２１）によりメイン支持アーム（１０）に固定されている。そして、第二鎖固ナット（７２１）とメイン支持アーム（１０）の間には、第二右スプリングワッシャと（７２２）第二左スプリングワッシャ（７２３）が挟圧されている。
上述の構造により、第一左スプリングワッシャ（７１２）と第一右スプリングワッシャ（７１３）の間の挟圧力と第二左スプリングワッシャ（７２２）と第二右スプリングワッシャ（７２３）の間の挟圧力により、各アーム間の滑り止め作用を発揮することができる。そして、これにより、メイン支持アーム（１０）がディスプレイの重さにより垂下する欠点やその発生の可能性を防止することができる。
【００１２】
又、第七図の如く、メイン支持アーム（１０）内には少なくとも導線スロット（１０１）が設けられ、導線スロット（１０１）により、モニタリング用ディスプレイに必要な電源線（９０）（或いは信号線）の配線箇所を提供し、電源線（９０）（或いは信号線）を保護することができる。
又、第五、六図の如く、メイン支持アーム（１０）とメイン支持アームの後部の延伸アーム（２０）が結合する関節及びメイン支持アーム（１０）とメイン支持アームの前端にあるモニタリング用ディスプレイ固定座（３０）とが結合する関節には、それぞれ防塵カバー（７０）があり、これにより支持アームの関節部に埃が侵入することを防ぐことができる。
【００１３】
以上で述べられたものや添付した図が示した実施例の如く、本考案が運用する技術手段や其の構造により、考案の目的を達成することがでる。
また、本願の考案は、以上に記述した具体的事例や事項に限られず、その思想上広く応用される範囲に及ぶものである。
【図面の簡単な説明】
【００１４】
【図１】本考案の立体見取図である。
【図２】本考案の断面図、そのメイン支持アームの水平角度動作の説明図及び    回転メイン支持アームの後部に設けられたボルトでメイン支持アームの支持力を    調節したものの説明図である。
【図３】本考案の断面図及びそのメイン支持アームが仰向けの角度動作を示し    た説明図である。
【図４】本考案の断面図及びそのメイン支持アームが垂れ下がった角度の動作    を示した説明図である。
【図５】本考案の第二図Ｉ−Ｉの断面図である。
【図６】本考案の第二図ＩＩ―ＩＩの断面図である。
【図７】本考案の第二図ＩＩＩ―ＩＩＩの断面図である。
【符号の説明】
【００１５】
１０    メイン支持アーム
１０１  導線スロット
１１    前部接続座金
１２    後部接続座金
１３    接続棒
１３１  ボルト
１３２  フック
１３３  ナット
１４    バネ
１５    ピボットピン
２０    延伸アーム
３０    モニタリング用ディスプレイ固定座
４０    支持アーム固定座
５０    モニタリング用ディスプレイ
６０    垂直軸
７０    防塵カバー
７１    第一水平ピボットピン
７１１  第一鎖固ナット
７１２  第一左スプリングワッシャ
７１３  第一右スプリングワッシャ
７２    第二水平ピボットピン
７２１  第二鎖固ナット
７２２  第二左スプリングワッシャ
７２３  第二右スプリングワッシャ
７３    第三水平ピボットピン
７４    第四水平ピボットピン
８０    壁
９０    電源線（信号線）
【図１】
0003113447.tif 000003
【図２】
0003113447.tif 000004
【図３】
0003113447.tif 000005
【図４】
0003113447.tif 000006
【図５】
0003113447.tif 000007
【図６】
0003113447.tif 000008
【図７】
0003113447.tif 000009